【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
ネットワーク・エンティティにチャネル状態情報（ＣＳＩ）を報告する方法であって、
前記ネットワーク・エンティティにＣＳＩを報告することに関わるＣＳＩ報告トリガを検知することと、
前記ＣＳＩが生成される１つまたは複数のシンボルに関連するサブフレームのサブフレーム領域が、送信が１つまたは複数の制御チャネルを介して行われる前記サブフレームの少なくとも第１のシンボルによって定義される制御領域であるか、送信が１つまたは複数のデータ・チャネルを独占的に介して行われる前記サブフレームの少なくとも第２のシンボルによって定義されるデータ領域であるか、または前記サブフレームの少なくとも第３のシンボルによって定義されるグレイ領域であるかを、前記ＣＳＩ報告トリガの検知に基づいて、特定することと、ここにおいて、前記制御領域、前記データ領域、および前記グレイ領域の各々は、前記サブフレーム領域に含まれる、
前記サブフレーム領域が前記制御領域と特定される場合、第１の測定に基づいて前記ＣＳＩを生成することと、
前記サブフレーム領域が前記データ領域と特定される場合、第２の測定に基づいて前記ＣＳＩを生成することと、
前記サブフレーム領域が前記グレイ領域と特定される場合、第３の測定に基づいて前記ＣＳＩを生成することと、
前記ネットワーク・エンティティに前記ＣＳＩを送信することと、を備え、
ここにおいて、前記制御領域、前記データ領域、および前記グレイ領域は、前記サブフレームの持続時間を有する送信時間インターバル（ＴＴＩ）に基づく第１のワイヤレス通信技術にしたがって定義され、ここにおいて、前記ＣＳＩを送信することは、第２のワイヤレス通信技術に基づいて、および前記サブフレームより小さい持続時間を有するＴＴＩにおいて前記ＣＳＩを送信することを備える方法。
【請求項２】
前記サブフレーム領域は、前記制御領域と特定され、前記制御領域は、少なくとも１つのシンボルを含み、その間に情報が１つまたは複数の制御チャネルを介して送信される、請求項１に記載の方法。
【請求項３】
前記制御領域において少なくとも１つの共通の参照信号（ＣＲＳ）を受信することをさらに備え、ここにおいて、前記第１の測定に基づく前記ＣＳＩの生成は、前記制御領域において受信される前記少なくとも１つのＣＲＳに基づいて前記ＣＳＩを生成することを含む、請求項２に記載の方法。
【請求項４】
前記サブフレーム領域は、前記データ領域と特定され、前記データ領域は、少なくとも１つのシンボルを含み、その間に情報が１つまたは複数のデータ・チャネルを介して送信される、請求項１に記載の方法。
【請求項５】
干渉測定リソース（ＩＭＲ）のＩＭＲ測定を実施することをさらに備え、ここにおいて、前記第２の測定に基づく前記ＣＳＩの生成は、前記ＩＭＲ測定に基づいて前記ＣＳＩを生成することを含む、請求項４に記載の方法。
【請求項６】
前記サブフレーム領域は、前記グレイ領域と特定され、前記グレイ領域は、少なくとも１つのシンボルを含み、その間に情報が１つまたは複数のデータ・チャネルもしくは１つまたは複数の制御チャネルのうちの一方あるいは両方を介して送信される、請求項１に記載の方法。
【請求項７】
干渉測定のために前記グレイ領域において１つまたは複数のリソース・エレメント・グループ（ＲＥＧ）を特定することと、
干渉測定を取得するために前記１つまたは複数のＲＥＧに関連する干渉を測定することと、をさらに備え、
ここにおいて、前記第３の測定に基づく前記ＣＳＩの生成は、前記干渉測定に基づいて前記ＣＳＩを生成することをさらに含む、請求項６に記載の方法。
【請求項８】
前記ＣＳＩ報告トリガが第１の送信時間インターバル（ＴＴＩ）に関連するかどうかを決定することをさらに備え、ここにおいて、前記第１のＴＴＩは第２のＴＴＩより小さく、ここにおいて、前記ネットワーク・エンティティを備えるレガシ通信は前記第２のＴＴＩを使用する、請求項１に記載の方法。
【請求項９】
前記ＣＳＩの生成は、複数のサブバンド上で実施され、前記ＣＳＩに関わるサブバンドのサイズは、前記第２のＴＴＩに関わるＣＳＩの生成に関連したサブバンドのサイズより大きい、請求項８に記載の方法。
【請求項１０】
前記第１のＴＴＩに関わる前記ＣＳＩは、前記第２のＴＴＩに関わる前記ＣＳＩと比較して制限されており、ここにおいて、前記第１のＴＴＩは、ランクの縮小セット、プリコーディング・マトリックス・インジケータ（precoding matrix indicator）の縮小セット、ＣＳＩ報告タイプの縮小セット、または前記第１のＴＴＩに関わる縮小された性能要件のうちの１つまたは複数をインプリメントすることによって制限される、請求項８に記載の方法。
【請求項１１】
前記ネットワーク・エンティティに送信された先のＣＳＩは、前記第２のＴＴＩに関連した先のＣＳＩ報告トリガに基づいていたことを決定することをさらに備え、ここにおいて、前記ＣＳＩの生成は、前記先のＣＳＩに対して差異的なＣＳＩを生成することを備える、請求項８に記載の方法。
【請求項１２】
前記ＣＳＩ報告トリガは、非周期的なＣＳＩ報告に関わる制御チャネルにおける指示または周期的なＣＳＩに関わる構成のうちの少なくとも１つである、請求項１に記載の方法。
【請求項１３】
ネットワーク・エンティティにチャネル状態情報（ＣＳＩ）を報告することに関わる装置であって、
前記ネットワーク・エンティティにＣＳＩを報告することに関わるＣＳＩ報告トリガを検知するための手段と、
前記ＣＳＩが生成される１つまたは複数のシンボルに関連するサブフレームのサブフレーム領域が、送信が１つまたは複数の制御チャネルを介して行われる前記サブフレームの少なくとも第１のシンボルによって定義される制御領域であるか、送信が１つまたは複数のデータ・チャネルを独占的に介して行われる前記サブフレームの少なくとも第２のシンボルによって定義されるデータ領域であるか、または前記サブフレームの少なくとも第３のシンボルによって定義されるグレイ領域であるかを、前記ＣＳＩ報告トリガの検知に基づいて、特定するための手段と、ここにおいて、前記制御領域、前記データ領域、および前記グレイ領域の各々は、前記のサブフレーム領域に含まれる、
前記サブフレーム領域が前記制御領域と特定される場合、第１の測定に基づいて前記ＣＳＩを生成するための手段と、
前記サブフレーム領域が前記データ領域と特定される場合、第２の測定に基づいて前記ＣＳＩを生成するための手段と、
前記サブフレーム領域が前記グレイ領域と特定される場合、第３の測定に基づいて前記ＣＳＩを生成するための手段と、
前記ネットワーク・エンティティに前記ＣＳＩを送信するための手段と、を備え、
ここにおいて、前記制御領域、前記データ領域、および前記グレイ領域は、前記サブフレームの持続時間を有する送信時間インターバル（ＴＴＩ）に基づく第１のワイヤレス通信技術にしたがって定義され、ここにおいて、前記ＣＳＩを送信するための手段は、第２のワイヤレス通信技術に基づいて、および前記サブフレームより小さい持続時間を有するＴＴＩにおいて前記ＣＳＩを送信する装置。
【請求項１４】
前記サブフレーム領域は、前記グレイ領域と特定され、前記グレイ領域は、少なくとも１つのシンボルを含み、その間に情報が１つまたは複数の制御チャネル、１つまたは複数のデータ・チャネル、もしくはこれらの任意の組合せ、を介して送信され、
前記装置は、
干渉測定のために前記グレイ領域において１つまたは複数のリソース・エレメント・グループ（ＲＥＧ）を特定するための手段と、
干渉測定を取得するために前記１つまたは複数のＲＥＧに関連する干渉を測定するための手段と、をさらに備え、
ここにおいて、前記第３の測定に基づいて前記ＣＳＩを生成するための手段は、前記干渉測定に基づいて前記ＣＳＩを生成するための手段を備える、請求項１３に記載の装置。
【請求項１５】
ネットワーク・エンティティにチャネル状態情報（ＣＳＩ）を報告することに関わるコンピュータ実行コードを記憶する非一時的コンピュータ可読媒体であって、前記コードは、
前記ネットワーク・エンティティにＣＳＩを報告することに関わるＣＳＩ報告トリガを検知することと、
前記ＣＳＩが生成される１つまたは複数のシンボルに関連するサブフレームのサブフレーム領域が、送信が１つまたは複数の制御チャネルを介して行われる前記サブフレームの少なくとも第１のシンボルによって定義される制御領域であるか、送信が１つまたは複数のデータ・チャネルを独占的に介して行われる前記サブフレームの少なくとも第２のシンボルによって定義されるデータ領域であるか、または前記サブフレームの少なくとも第３のシンボルによって定義されるグレイ領域であるかを、前記ＣＳＩ報告トリガの検知に基づいて、特定することと、ここにおいて、前記制御領域、前記データ領域、および前記グレイ領域の各々は、前記サブフレーム領域に含まれる、
前記サブフレーム領域が前記制御領域と特定される場合、第１の測定に基づいて前記ＣＳＩを生成することと、
前記サブフレーム領域が前記データ領域と特定される場合、第２の測定に基づいて前記ＣＳＩを生成することと、
前記サブフレーム領域が前記グレイ領域と特定される場合、第３の測定に基づいて前記ＣＳＩを生成することと、
前記ネットワーク・エンティティに前記ＣＳＩを送信することと、を実行可能である命令を備え、
ここにおいて、前記制御領域、前記データ領域、および前記グレイ領域は、前記サブフレームの持続時間を有する送信時間インターバル（ＴＴＩ）に基づく第１のワイヤレス通信技術にしたがって定義され、ここにおいて、前記コードは、第２のワイヤレス通信技術に基づいて、および前記サブフレームより小さい持続時間を有するＴＴＩにおいて前記ＣＳＩを送信することを実行可能であるコンピュータ可読媒体。
【請求項１６】
前記サブフレーム領域は、前記グレイ領域と特定され、前記グレイ領域は、少なくとも１つのシンボルを含み、その間に情報が１つまたは複数の制御チャネル、１つまたは複数のデータ・チャネル、もしくはこれらの任意の組合せ、を介して送信され、
前記コードは、
干渉測定のために前記グレイ領域において１つまたは複数のリソース・エレメント・グループ（ＲＥＧ）を特定することと、
干渉測定を取得するために前記１つまたは複数のＲＥＧに関連する干渉を測定することと、を実行可能である命令を備え、
ここにおいて、前記第３の測定に基づいて前記ＣＳＩを生成することを実行可能である命令は、前記干渉測定に基づいて前記ＣＳＩを生成することを実行可能である命令を備える、請求項１５に記載のコンピュータ可読媒体。
【請求項１７】
ネットワーク・エンティティにチャネル状態情報（ＣＳＩ）を報告することに関わる装置であって、
プロセッサと、
前記プロセッサと電子通信状態にあるメモリと、
前記メモリに記憶された命令と、を備え、前記命令は、
前記ネットワーク・エンティティにＣＳＩを報告することに関わるＣＳＩ報告トリガを検知することと、
前記ＣＳＩが生成される１つまたは複数のシンボルに関連するサブフレームのサブフレーム領域が、送信が１つまたは複数の制御チャネルを介して行われる前記サブフレームの少なくとも第１のシンボルによって定義される制御領域であるか、送信が１つまたは複数のデータ・チャネルを独占的に介して行われる前記サブフレームの少なくとも第２のシンボルによって定義されるデータ領域であるか、または前記サブフレームの少なくとも第３のシンボルによって定義されるグレイ領域であるかを、前記ＣＳＩ報告トリガの検知に基づいて、特定することと、ここにおいて、前記制御領域、前記データ領域、および前記グレイ領域の各々は、前記サブフレーム領域に含まれる、
前記サブフレーム領域が前記制御領域と特定される場合、第１の測定に基づいて前記ＣＳＩを生成することと、
前記サブフレーム領域が前記データ領域と特定される場合、第２の測定に基づいて前記ＣＳＩを生成することと、
前記サブフレーム領域が前記グレイ領域と特定される場合、第３の測定に基づいて前記ＣＳＩを生成することと、
前記ネットワーク・エンティティに前記ＣＳＩを送信することと、を前記プロセッサによって実行可能であり、
ここにおいて、前記制御領域、前記データ領域、および前記グレイ領域は、前記サブフレームの持続時間を有する送信時間インターバル（ＴＴＩ）に基づく第１のワイヤレス通信技術にしたがって定義され、ここにおいて、前記命令は、第２のワイヤレス通信技術に基づいて、および前記サブフレームより小さい持続時間を有するＴＴＩにおいて前記ＣＳＩを送信することを実行可能である装置。
【請求項１８】
前記サブフレーム領域は、前記制御領域であり、前記制御領域は、少なくとも１つのシンボルを含み、その間に情報が１つまたは複数の制御チャネルを介して送信される、請求項１７に記載の装置。
【請求項１９】
前記命令は、前記制御領域において少なくとも１つの共通の参照信号（ＣＲＳ）を受信することを前記プロセッサによって実行可能である命令をさらに備え、ここにおいて、前記第１の測定に基づいて前記ＣＳＩを生成することを実行可能である命令は、前記制御領域において受信される前記少なくとも１つのＣＲＳに基づいて前記ＣＳＩを生成することを前記プロセッサによって実行可能である命令備える、請求項１８に記載の装置。
【請求項２０】
前記サブフレーム領域は、前記データ領域と特定され、前記データ領域は、少なくとも１つのシンボルを含み、その間に情報が１つまたは複数のデータ・チャネルを介して送信される、請求項１７に記載の装置。
【請求項２１】
前記命令は、干渉測定リソース（ＩＭＲ）のＩＭＲ測定を実施するために前記プロセッサによって実行可能である命令をさらに備え、ここにおいて、前記第２の測定に基づいて前記ＣＳＩを生成することを実行可能である命令は、前記ＩＭＲ測定に基づいて前記ＣＳＩを生成することを前記プロセッサによって実行可能である命令を備える、請求項２０に記載の装置。
【請求項２２】
前記サブフレーム領域は、前記グレイ領域と識別され、前記グレイ領域は、少なくとも１つのシンボルを備え、その間に情報が１つまたは複数のデータ・チャネルもしくは１つまたは複数の制御チャネルのうちの一方あるいは両方を介して送信される、請求項１７に記載の装置。
【請求項２３】
前記命令は、
干渉測定のために前記グレイ領域において１つまたは複数のリソース・エレメント・グループ（ＲＥＧ）を特定することと、
干渉測定を取得するために前記１つまたは複数のＲＥＧに関連する干渉を測定することと、を前記プロセッサによって実行可能である命令をさらに備え、
ここにおいて、前記第３の測定に基づいて前記ＣＳＩを生成することを実行可能である命令は、前記干渉測定に基づいて前記ＣＳＩを生成することを前記プロセッサによって実行可能である命令をさらに備える、請求項２２に記載の装置。
【請求項２４】
前記命令は、前記ＣＳＩ報告トリガが第１の送信時間インターバル（ＴＴＩ）に関連するかどうかを決定することを前記プロセッサによって実行可能である命令をさらに備え、ここにおいて、前記第１のＴＴＩは第２のＴＴＩより小さく、ここにおいて、前記ネットワーク・エンティティを備えるレガシ通信は前記第２のＴＴＩを使用する、請求項１７に記載の装置。
【請求項２５】
前記ＣＳＩを生成することを実行可能である命令は、複数のサブバンド上で前記ＣＳＩを生成することを前記プロセッサによって実行可能である命令を備え、ここにおいて、前記ＣＳＩに関わるサブバンドのサイズは、前記第２のＴＴＩに関わるＣＳＩの生成に関連したサブバンドのサイズより大きい、請求項２４に記載の装置。
【請求項２６】
前記第１のＴＴＩに関わる前記ＣＳＩは、前記第２のＴＴＩに関わる前記ＣＳＩと比較して制限されており、ここにおいて、前記第１のＴＴＩは、ランクの縮小セット、プリコーディング・マトリックス・インジケータ（precoding matrix indicator）の縮小セット、ＣＳＩ報告タイプの縮小セット、または前記第１のＴＴＩに関わる縮小された性能要件のうちの１つまたは複数をインプリメントすることによって制限される、請求項２４に記載の装置。
【請求項２７】
前記命令は、前記ネットワーク・エンティティに送信された先のＣＳＩが、前記第２のＴＴＩに関連した先のＣＳＩ報告トリガに基づいていたことを決定することを前記プロセッサによって実行可能である命令をさらに備え、ここにおいて、前記ＣＳＩを生成することを実行可能である命令は、前記先のＣＳＩに対して差異的なＣＳＩを生成することを前記プロセッサによって実行可能である命令を備える、請求項２４に記載の装置。
【請求項２８】
前記ＣＳＩ報告トリガは、非周期的なＣＳＩ報告に関わる制御チャネルにおける指示または周期的なＣＳＩ報告に関わる構成のうちの少なくとも１つである、請求項１７に記載の装置。
【手続補正２】
【補正対象書類名】明細書
【補正対象項目名】００８３
【補正方法】変更
【補正の内容】
【００８３】
[0093]  先の説明は、いかなる当業者にも本明細書で説明されたさまざまな態様を実施することを可能にするように、提供される。これらの態様へのさまざまな修正は、当業者に容易に明らかとなり、本明細書に定義された包括的な原理は、他の態様に適用され得る。かくして、特許請求の範囲は、本明細書に示された態様に限定されるように意図されてはいないが、特許請求の範囲の文言と一致する全範囲を付与されるべきであり、ここにおいて、単数形での要素への言及は、そうであると具体的に記載されない限り、「１つおよび１つのみ」を意味するようには意図されず、むしろ「１つまたは複数」を意味する。そうでないと具体的に記載されない限り、「いくつかの」という用語は、１つまたは複数を指す。「例示的な（exemplary）」という用語は、本明細書では、「例、実例、または例示としての役割を果たす」という意味で使用されている。「例証的」であるとして本明細書で説明されたいずれの態様も、他の態様よりも好ましいまたは有利であるとして必ずしも解釈されるべきではない。そうでないと具体的に記載されない限り、「いくつかの」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のこのような組み合わせは、Ａ、Ｂ、またはＣの１つまたは複数のメンバーを含み得る。当業者に知られている、あるいは後に知られることになる本開示全体にわたって説明されたさまざまな態様の要素に対するすべての構造的および機能的な同など物は、参照によってここに明確に組み込まれ、特許請求の範囲に包含されるように意図される。その上、本明細書のどの開示も、そのような開示が特許請求の範囲中に明示的に記載されているかどうかにかかわらず、公に献呈されるようには意図されていない。要素が「〜のための手段（means for）」というフレーズを使用して明確に記載されていない限り、どの請求項の要素もミーンズ・プラス・ファンクション（means plus function）として解釈されるべきではない。
以下に本願の出願当初の特許請求の範囲に記載された発明を付記する。
［Ｃ１］
ネットワーク・エンティティにチャネル状態情報（ＣＳＩ）を報告する方法であって、前記ネットワーク・エンティティにＣＳＩを報告することに関わるＣＳＩ報告トリガを検知することと、
前記ＣＳＩが生成されるサブフレーム領域を、前記ＣＳＩ報告トリガの検知に基づいて、特定することと、ここにおいて、前記サブフレーム領域は複数のサブフレーム領域に含まれる、ここにおいて、前記複数のサブフレーム領域の各サブフレーム領域は、サブフレームの少なくとも１つのシンボルを備える、
前記サブフレーム領域に基づいて前記ＣＳＩを生成することと、
前記ネットワーク・エンティティに前記ＣＳＩを送信することと、を備える方法。
［Ｃ２］
前記サブフレーム領域は、制御領域を備え、前記制御領域は、少なくとも１つのシンボルを含み、その間に情報が１つまたは複数の制御チャネルを介して送信される、Ｃ１に記載の方法。
［Ｃ３］
前記制御領域において少なくとも１つの共通の参照信号（ＣＲＳ）を受信することをさらに備え、ここにおいて、前記ＣＳＩの生成は、前記制御領域において受信される前記少なくとも１つのＣＲＳに基づいて前記ＣＳＩを生成することを含む、Ｃ２に記載の方法。
［Ｃ４］
前記サブフレーム領域は、データ領域を備え、前記データ領域は、少なくとも１つのシンボルを含み、その間に情報が１つまたは複数のデータ・チャネルを介して送信される、Ｃ１に記載の方法。
［Ｃ５］
干渉測定リソース（ＩＭＲ）のＩＭＲ測定を実施することをさらに備え、ここにおいて、前記ＣＳＩの生成は、前記ＩＭＲ測定に基づいて前記ＣＳＩを生成することを含む、Ｃ４に記載の方法。
［Ｃ６］
前記サブフレーム領域は、グレイ領域を備え、前記グレイ領域は、少なくとも１つのシンボルを含み、その間に情報が１つまたは複数のデータ・チャネルもしくは１つまたは複数の制御チャネルのうちの一方あるいは両方を介して送信される、Ｃ１に記載の方法。
［Ｃ７］
干渉測定のために前記グレイ領域において１つまたは複数のリソース・エレメント・グループ（ＲＥＧ）を特定することと、
干渉測定を取得するために前記１つまたは複数のＲＥＧに関連する干渉を測定することと、を備え、
ここにおいて、前記ＣＳＩの生成は、前記干渉測定に基づいて前記ＣＳＩを生成することをさらに含む、Ｃ６に記載の方法。
［Ｃ８］
前記ＣＳＩ報告トリガが第１の送信時間インターバル（ＴＴＩ）に関連するかどうかを決定することを備え、ここにおいて、前記第１のＴＴＩは第２のＴＴＩより小さく（the first TTI is less a second TTI）、ここにおいて、前記ネットワーク・エンティティを備えるレガシ通信は前記第２のＴＴＩを使用する、Ｃ１に記載の方法。
［Ｃ９］
前記ＣＳＩの生成は、複数のサブバンド上で実施され、前記ＣＳＩに関わるサブバンドのサイズは、前記第２のＴＴＩに関わるＣＳＩの生成に関連したサブバンドのサイズより大きい、Ｃ８に記載の方法。
［Ｃ１０］
前記第１のＴＴＩに関わる前記ＣＳＩは、前記第２のＴＴＩに関わる前記ＣＳＩと比較して制限されており、ここにおいて、前記第１のＴＴＩは、ランクの縮小セット、プリコーディング・マトリックス・インジケータ（precoding matrix indicator）の縮小セット、ＣＳＩ報告タイプの縮小セット、または前記第１のＴＴＩに関わる縮小された性能要件のうちの１つまたは複数をインプリメントすることによって制限される、Ｃ８に記載の方法。
［Ｃ１１］
前記ネットワーク・エンティティに送信された先のＣＳＩは、前記第２のＴＴＩに関連した先のＣＳＩ報告トリガに基づいていたことを決定することをさらに備え、ここにおいて、前記ＣＳＩの生成は、前記先のＣＳＩに対して差異的なＣＳＩを生成することを備える、Ｃ８に記載の方法。
［Ｃ１２］
前記ＣＳＩ報告トリガは、非周期的なＣＳＩ報告に関わる制御チャネルにおける指示または周期的なＣＳＩに関わる構成のうちの少なくとも１つである、Ｃ１に記載の方法。
［Ｃ１３］
ネットワーク・エンティティにチャネル状態情報（ＣＳＩ）を報告することに関わる装置であって、
前記ネットワーク・エンティティにＣＳＩを報告することに関わるＣＳＩ報告トリガを検知するための手段と、
前記ＣＳＩが生成されるサブフレーム領域を、前記ＣＳＩ報告トリガの検知に基づいて、特定するための手段と、ここにおいて、前記サブフレーム領域は複数のサブフレーム領域に含まれる、ここにおいて、前記複数のサブフレーム領域の各サブフレーム領域は、サブフレームの少なくとも１つのシンボルを備える、
前記サブフレーム領域に基づいて前記ＣＳＩを生成するための手段と、
前記ネットワーク・エンティティに前記ＣＳＩを送信するための手段と、を備える装置。
［Ｃ１４］
前記サブフレーム領域は、グレイ領域を備え、前記グレイ領域は、少なくとも１つのシンボルを含み、その間に情報が１つまたは複数の制御チャネル、１つまたは複数のデータ・チャネル、もしくはこれらの任意の組合せ、を介して送信される、Ｃ１３に記載の装置。
［Ｃ１５］
干渉測定のために前記グレイ領域において１つまたは複数のリソース・エレメント・グループ（ＲＥＧ）を特定するための手段と、
干渉測定を取得するために前記１つまたは複数のＲＥＧに関連する干渉を測定するための手段と、を備え、
ここにおいて、前記ＣＳＩを生成するための手段は、前記干渉測定に基づいて前記ＣＳＩを生成するための手段を備える、Ｃ１４に記載の装置。
［Ｃ１６］
ネットワーク・エンティティにチャネル状態情報（ＣＳＩ）を報告することに関わるコンピュータ実行コードを記憶する非一時的コンピュータ可読媒体であって、前記コードは、前記ネットワーク・エンティティにＣＳＩを報告することに関わるＣＳＩ報告トリガを検知することと、
前記ＣＳＩが生成されるサブフレーム領域を、前記ＣＳＩ報告トリガの検知に基づいて、特定することと、ここにおいて、前記サブフレーム領域は複数のサブフレーム領域に含まれる、ここにおいて、前記複数のサブフレーム領域の各サブフレーム領域は、サブフレームの少なくとも１つのシンボルを備える、
前記サブフレーム領域に基づいて前記ＣＳＩを生成することと、
前記ネットワーク・エンティティに前記ＣＳＩを送信することと、を実行可能である命令を備える、コンピュータ可読媒体。
［Ｃ１７］
前記サブフレーム領域は、グレイ領域を備え、前記グレイ領域は、少なくとも１つのシンボルを含み、その間に情報が１つまたは複数の制御チャネル、１つまたは複数のデータ・チャネル、もしくはこれらの任意の組合せ、を介して送信される、Ｃ１６に記載のコンピュータ可読媒体。
［Ｃ１８］
前記コードは、
干渉測定のために前記グレイ領域において１つまたは複数のリソース・エレメント・グループ（ＲＥＧ）を特定することと、
干渉測定を取得するために前記１つまたは複数のＲＥＧに関連する干渉を測定することと、を実行可能である命令を備え、
ここにおいて、前記ＣＳＩを生成することを実行可能である命令は、前記干渉測定に基づいて前記ＣＳＩを生成することを実行可能である命令を備える、Ｃ１７に記載のコンピュータ可読媒体。
［Ｃ１９］
ネットワーク・エンティティにチャネル状態情報（ＣＳＩ）を報告することに関わる装置であって、
プロセッサと、
前記プロセッサと電子通信状態にあるメモリと、
前記メモリに記憶された命令と、を備え、前記命令は、
前記ネットワーク・エンティティにＣＳＩを報告することに関わるＣＳＩ報告トリガを検知することと、
前記ＣＳＩが生成されるサブフレーム領域を、前記ＣＳＩ報告トリガの検知に基づいて、特定することと、ここにおいて、前記サブフレーム領域は複数のサブフレーム領域に含まれる、ここにおいて、前記複数のサブフレーム領域の各サブフレーム領域は、サブフレームの少なくとも１つのシンボルを備える、
前記サブフレーム領域に基づいて前記ＣＳＩを生成することと、
前記ネットワーク・エンティティに前記ＣＳＩを送信することと、を実行可能である、装置。
［Ｃ２０］
前記サブフレーム領域は、制御領域を備え、前記制御領域は、少なくとも１つのシンボルを含み、その間に情報が１つまたは複数の制御チャネルを介して送信される、Ｃ１９に記載の装置。
［Ｃ２１］
前記命令は、前記制御領域において少なくとも１つの共通の参照信号（ＣＲＳ）を受信することを前記プロセッサによって実行可能である命令をさらに備え、ここにおいて、前記ＣＳＩを生成することを実行可能である命令は、前記制御領域において受信される前記少なくとも１つのＣＲＳに基づいて前記ＣＳＩを生成することを前記プロセッサによって実行可能である命令備える、Ｃ２０に記載の装置。
［Ｃ２２］
前記サブフレーム領域は、データ領域を備え、前記データ領域は、少なくとも１つのシンボルを含み、その間に情報が１つまたは複数のデータ・チャネルを介して送信される、Ｃ１９に記載の装置。
［Ｃ２３］
前記命令は、干渉測定リソース（ＩＭＲ）のＩＭＲ測定を実施するために前記プロセッサによって実行可能である命令をさらに備え、ここにおいて、前記ＣＳＩを生成することを実行可能である命令は、前記ＩＭＲ測定に基づいて前記ＣＳＩを生成することを前記プロセッサによって実行可能である命令備える、Ｃ２２に記載の装置。
［Ｃ２４］
前記サブフレーム領域は、グレイ領域を備え、前記グレイ領域は、少なくとも１つのシンボルを備え、その間に情報が１つまたは複数のデータ・チャネルもしくは１つまたは複数の制御チャネルのうちの一方あるいは両方を介して送信される、Ｃ１９に記載の装置。
［Ｃ２５］
前記命令は、
干渉測定のために前記グレイ領域において１つまたは複数のリソース・エレメント・グループ（ＲＥＧ）を特定することと、
干渉測定を取得するために前記１つまたは複数のＲＥＧに関連する干渉を測定することと、を前記プロセッサによって実行可能である命令をさらに備える、
ここにおいて、前記ＣＳＩを生成することを実行可能である命令は、前記干渉測定に基づいて前記ＣＳＩを生成することを前記プロセッサによって実行可能である命令をさらに備える、Ｃ２４に記載の装置。
［Ｃ２６］
前記ＣＳＩ報告トリガが第１の送信時間インターバル（ＴＴＩ）に関連するかどうかを決定することを前記プロセッサによって実行可能である命令をさらに備え、ここにおいて、前記第１のＴＴＩは第２のＴＴＩより小さく、ここにおいて、前記ネットワーク・エンティティを備えるレガシ通信は前記第２のＴＴＩを使用する、Ｃ１９に記載の装置。
［Ｃ２７］
前記ＣＳＩを生成することを実行可能である命令は、複数のサブバンド上で前記ＣＳＩを生成することを前記プロセッサによって実行可能である命令を備え、ここにおいて、前記ＣＳＩに関わるサブバンドのサイズは、前記第２のＴＴＩに関わるＣＳＩの生成に関連したサブバンドのサイズより大きい、Ｃ２６に記載の装置。
［Ｃ２８］
前記第１のＴＴＩに関わる前記ＣＳＩは、前記第２のＴＴＩに関わる前記ＣＳＩと比較して制限されており、ここにおいて前記第１のＴＴＩは、ランクの縮小セット、プリコーディング・マトリックス・インジケータ（precoding matrix indicator）の縮小セット、ＣＳＩ報告タイプの縮小セット、または前記第１のＴＴＩに関わる縮小された性能要件のうちの１つまたは複数をインプリメントすることによって制限される、Ｃ２６に記載の装置。
［Ｃ２９］
前記ネットワーク・エンティティに送信された先のＣＳＩが、前記第２のＴＴＩに関連した先のＣＳＩ報告トリガに基づいていたことを決定すること前記プロセッサによって実行可能である命令をさらに備え、ここにおいて、前記ＣＳＩを生成することを実行可能である命令は、前記先のＣＳＩに対して差異的なＣＳＩを生成することを前記プロセッサによって実行可能である命令を備える、Ｃ２６に記載の装置。
［Ｃ３０］
前記ＣＳＩ報告トリガは、非周期的なＣＳＩ報告に関わる制御チャネルにおける指示または周期的なＣＳＩ報告に関わる構成のうちの少なくとも１つである、Ｃ１９に記載の装置。